(57)【要約】【課題】楽器に取り付け可能な振動供給装置取付ユニットを提供すること【解決手段】本発明の一実施形態に係る楽器に取り付け可能な振動供給装置取付ユニットは、振動部材を有するトランスデューサーと、トランスデューサーが取り付けられる第１の板と、第１の板に取り付けられるトランスデューサーの周囲に配置されるガイドと、第１の板に対向する位置に設けられる第２の板と、回動操作により第１の板と第２の板との距離を変更するねじと、を有することを特徴とする。【選択図】図４
2017092520.tif 000002
【特許請求の範囲】
【請求項１】
振動部材を有するトランスデューサーと、
前記トランスデューサーが取り付けられる第１の板と、
前記第１の板に取り付けられるガイドと、
前記第１の板に対向する位置に設けられる第２の板と、
回動操作により前記第１の板と前記第２の板との距離を変更するねじと、
を有することを特徴とする楽器に取り付け可能な振動供給装置取付ユニット。
【請求項２】
前記振動供給装置取付ユニットは、前記第１の板に対向する位置に設けられる第３の板をさらに含み、
前記ねじは前記第３の板に回動自在に取り付けられ、
前記第２の板は、前記ねじの一端に設けられることを特徴とする請求項１に記載の振動供給装置取付ユニット。
【請求項３】
前記ねじは、前記第１の板に備えられることを特徴とする請求項１に記載の振動供給装置取付ユニット。
【請求項４】
前記振動供給取付ユニットは、前記第１の板と前記第２の板とを接続する第４の板を含み、
前記ねじは、前記第４の板に備えられることを特徴とする請求項１に記載の振動供給装置取付ユニット。
【請求項５】
振動部材を有するトランスデューサーと、
前記トランスデューサーを取り囲むケースと、
楽器のサウンドホールから挿入される位置決め治具と、前記位置決め治具に配置される位置決め部材と、を有し、
前記ケース及び前記位置決め部材のいずれか一方は金属であり、他方は磁石であり、
前記ケースは前記位置決め部材に対応する位置に配置されることを特徴とする楽器に取り付け可能な振動供給装置取付ユニット。
【請求項６】
前記位置決め治具は、短辺部と長辺部とを含み、前記長辺部の一端が前記短辺部に接続された略Ｌ字型に形成され、
前記位置決め治具の前記短辺部の端部は、前記長辺部の延長方向と平行な方向に延長される延長部を有することを特徴とする請求項５に記載の振動供給装置取付ユニット。
【請求項７】
前記位置決め治具の前記長辺部はＴ字状に形成されることを特徴とする請求項５または６に記載の振動供給装置取付ユニット。
【発明の詳細な説明】
【技術分野】
【０００１】
本発明は、楽器に振動供給装置を取り付ける技術に関する。
【背景技術】
【０００２】
従来、アコースティックのギター、ベース、バイオリン、ウクレレ、マンドリン等、響板を含む共鳴胴を有する楽器が知られている。例えばギターの共鳴胴は、表板、裏板及び側板から構成され、表板にはサウンドホールが形成される。弦の演奏により主として響板たる表板及び裏板が振動して豊かな音響が発生する。
【０００３】
このような響板により生成される豊かな音響は、コーン紙を振動させる通常のスピーカーシステムで再現することが難しい。そのため、演奏によらずに、このような楽器そのものの響板を利用して音響を発生させる装置が知られている。
【０００４】
例えば、楽器そのものをスピーカーとして用い、その響板にねじでトランスデューサーを取り付け、その振動を楽器の胴部に伝え、音響振動を発する技術が知られている（例えば、特許文献１や特許文献２）。ボルトを用いて楽器にトランスデューサーを取り付ける方法（例えば、特許文献３）も知られている。トランスデューサーを楽器の内部空間に設け、支持部材を用いて響板の裏側へ取り付ける方法（例えば、特許文献４）も知られている。
【０００５】
また、デスク等に置いて使用するタイプのトランスデューサーも知られている。
【先行技術文献】
【特許文献】
【０００６】
【特許文献１】特開２００４−１２９０５８
【特許文献２】特開２００４−２９９１６９
【特許文献３】特開２００８−２９８９９２
【特許文献４】特開２０１２−１５０２３５
【発明の概要】
【発明が解決しようとする課題】
【０００７】
しかしながら、特許文献１ないし３の技術では、ねじやボルトによる取り付け機構をトランスデューサー及び楽器の双方に設ける必要があり、トランスデューサー及び楽器を変形させなくてはならず、一般の（例えば、市販の）ギター等に広く適用できるものではない。また、楽器を加工することによって音質が劣化するおそれがあるという問題がある。
【０００８】
また、特許文献１ないし３の技術では、トランスデューサーを楽器の裏板にネジやボルトで取り付ける必要があるため、ユーザが楽器をスピーカーとして使用する場面と、トランスデューサーを外して演奏する場面とを切り替えるのに手間がかかる。
【０００９】
また、特許文献１ないし３の技術では、それぞれの楽器によって異なる胴の厚さに対応することができないという問題がある。
【００１０】
また、デスク等に置いて使用するタイプのトランスデューサーの場合、重力を利用してデスク等と接触させているため持ち上げることができないので、楽器をスピーカーとして使用しながら演奏することが困難である。
【００１１】
そこで、本発明は、楽器を加工することなく、一般の楽器の響板を利用して、適切な圧力で楽器へトランスデューサーを取り付けることを目的の１つとする。また、楽器を加工することによる音質の劣化を防止することを目的の１つとする。
【００１２】
また、本発明は、楽器へのトランスデューサーの着脱を容易にすることを他の目的とする。
【００１３】
また、本発明は、トランスデューサーをしっかり保持することで、楽器をスピーカーとして使用しながら演奏することを容易にすることを他の目的とする。
【課題を解決するための手段】
【００１４】
本発明の一実施形態によると、振動部材を有するトランスデューサーと、前記トランスデューサーが取り付けられる第１の板と、前記第１の板に取り付けられるガイドと、前記第１の板に対向する位置に設けられる第２の板と、回動操作により前記第１の板と前記第２の板との距離を変更するねじと、を有することを特徴とする楽器に取り付け可能な振動供給装置取付ユニットが提供される。
【００１５】
また、本発明の一実施形態によると、前記振動供給装置取付ユニットは、前記第１の板に対向する位置に設けられる第３の板をさらに含み、前記ねじは前記第３の板に回動自在に取り付けられ、前記第２の板は、前記ねじの一端に設けられてもよい。
【００１６】
また、本発明の一実施形態によると、前記ねじは、前記第１の板に備えられてもよい。
【００１７】
また、本発明の一実施形態によると、前記振動供給取付ユニットは、前記第１の板と前記第２の板とを接続する第４の板を含み、前記ねじは、前記第４の板に備えられてもよい。
【００１８】
また、本発明の一実施形態によると、振動部材を有するトランスデューサーと、
前記トランスデューサーを取り囲むケースと、楽器のサウンドホールから挿入される位置決め治具と、前記位置決め治具に配置される位置決め部材と、を有し、前記ケース及び前記位置決め部材のいずれか一方は金属であり、他方は磁石であり、前記ケースは前記位置決め部材に対応する位置に配置されてもよい。
【００１９】
また、本発明の一実施形態によると、前記位置決め治具は、短辺部と長辺部とを含み、前記長辺部の一端が前記短辺部に接続された略Ｌ字型に形成され、前記位置決め治具の前記短辺部の端部は、前記長辺部の延長方向と平行な方向に延長される延長部を有してもよい。
【００２０】
また、本発明の一実施形態によると、前記位置決め治具の前記長辺部はＴ字状に形成されてもよい。
【発明の効果】
【００２１】
本発明の一実施形態によれば、楽器を加工することなく、一般の楽器の響板を利用して、適切な圧力で楽器へトランスデューサーを取り付けることができる。また、楽器を加工することによる音質の劣化を防止することができる。
【００２２】
また、本発明の一実施形態によれば、楽器へのトランスデューサーの着脱を容易にすることができる。
【００２３】
また、本発明の一実施形態によれば、それぞれの楽器によって異なる胴の厚さに対応してトランスデューサーを取り付けることができる。
【００２４】
また、本発明の一実施形態によれば、トランスデューサーをしっかり保持することが可能となるので、楽器をスピーカーとして使用しながら演奏することが容易になる。
【図面の簡単な説明】
【００２５】
【図１】本発明の第１実施形態の振動供給装置取付ユニットが楽器に取り付けられた状態を示す図である。
【図２】本発明のトランスデューサーの構成を示す図である。
【図３】図３は、図２に示すトランスデューサー５０を振動部材５１１の中心を通り振動部材５１１の振動方向に平行な面で切断した断面図である。
【図４】本発明の第２実施形態の振動供給装置取付ユニットが楽器に取り付けられた状態を示す図である。
【図５】本発明の第３実施形態の振動供給装置取付ユニットが楽器に取り付けられた状態を示す図である。
【図６】本発明の第４実施形態の振動供給装置取付ユニットが楽器に取り付けられた状態を示す図である。
【図７】本発明の第５実施形態の振動供給装置取付ユニットが楽器に取り付けられた状態を示す図である。
【発明を実施するための形態】
【００２６】
以下、本発明の一実施形態の楽器について、図面を参照しながら詳細に説明する。以下に示す実施形態は本発明の実施形態の一例であって、本発明はこれらの実施形態に限定されるものではない。
【００２７】
＜第１実施形態＞
本発明の第１実施形態の振動供給装置取付ユニットについて、図面を参照しながら詳細に説明する。
【００２８】
図１（Ａ）及び（Ｂ）は、本発明の第１実施形態の振動供給装置取付ユニットが楽器に取り付けられた状態を示す図である。
【００２９】
図１（Ａ）及び（Ｂ）は、楽器１がアコースティックギターである例を示したものである。振動供給装置取付ユニット１００は、楽器１を挟み込むクランプ部材１１０、クランプ部材１１０の内側に配置される振動供給装置１２０、及び振動供給装置１２０の付近に配置されるガイド１３０を有する。
【００３０】
クランプ部材１１０は、挟み込み部１１５及び挟み込み部１１５の内側の、振動供給装置１２０と対向する面に備えられるねじ１４０及び第２の板１５０を含み、楽器１を挟み込む形状に形成される。挟み込み部１１５は，トランスデューサー及びガイドが取り付けられる第１の板１１６及び第１の板１１６に対向する位置に設けられる第３の板１１７を含む。第２の板１５０は、第１の板１１６に対向する位置に設けられ、ねじ１４０の一端に設けられてもよい。ねじ１４０は、第３の板１１７に回動自在に取り付けられ、回動操作により第１の板１１６と第２の板１５０との距離を変更する。
図１（Ａ）及び（Ｂ）においては楽器１の底部２を挟み込む形状に形成される例を示したが、これに限られず、楽器１の側部３を挟み込む形状に形成されてもよい。クランプ部材１１０によって楽器１を挟み込む際の楽器１の向きは、楽器１の種類や、使用者の好みに応じて決定されてよい。
【００３１】
クランプ部材１１０の内側には振動供給装置１２０が配置される。
【００３２】
図２は、振動供給装置１２０に含まれるトランスデューサー５０の外観を示した図である。この図においては、ヨーク保持部５２の主要な構造を見やすくするため、ヨーク保持部５２の筐体５２４（図３参照）については記載を省略し、筐体５２４の内部を図示している。
【００３３】
振動部５１は、響板７（図３参照）と接続する上面が塞がれた筒状の振動部材５１１およびボイスコイル５１２を有する。振動部材５１１は、ポリイミド等の樹脂あるいはアルミ素材の金属などの素材で形成され、上面部に樹脂等のキャップを取り付けている。振動部材５１１の先端には、磁石が配置されてもよく、この磁石は粘着材等によって振動部材５１１の先端に接着されてもよい。ヨーク保持部５２は、磁石５２２、および磁石５２２を挟みこむヨーク５２１、５２３を有する。ヨーク５２１、５２３は、例えば軟鉄などの軟磁性材料により形成される。また、振動部５１とヨーク保持部５２とは、空間により隔てられている。
【００３４】
図３は、図２に示すトランスデューサー５０を振動部材５１１の中心を通り、振動部材５１１の振動方向に平行な面で切断した断面図である。図３においては、図２において記載を省略した筐体５２４についても記載している。また、図３においては、トランスデューサー５０と響板７の位置関係を示すため、響板７の位置を２点鎖線で示している。
【００３５】
振動部５１は、振動部材５１１およびボイスコイル５１２を有している。ボイスコイル５１２は、ヨーク５２１、５２３および磁石５２２により形成された磁路（破線矢印）のうち、ヨーク５２１とヨーク５２３との間に形成される空間を通過する磁路上に位置するように配置されている。トランスデューサー５０に入力される駆動信号は、ボイスコイル５１２に入力される。ボイスコイル５１２は、上記のように形成されている磁路における磁力を受けて、入力される駆動信号が示す波形に応じて振動部材５１１が図における上下方向に振動するように駆動力を発生させる。そして、以下で詳述する方法によってトランスデューサー５０と響板７とが接触され、振動部材５１１における振動が響板７に伝達される。筐体５２４は、ヨーク５２１、５２３および磁石５２２を収容する。図示はしていないが、振動部材５１１と筐体５２４とはダンパによって接続される。ダンパは、ボイスコイル５１２が振動信号により駆動されず、振動部材５１１による響板７に対する力がかからない状態での位置を標準位置とする。ダンパは、この標準位置から、振動部材５１１の上下振動に追従して伸縮する。
【００３６】
再び図１（Ｂ）を参照すると、振動供給装置１２０の付近には、ガイド１３０が配置される。ガイド１３０は、振動供給装置１２０の底面から楽器１への接触面までの高さを規定する案内部材である。ガイド１３０は固いゴム、又は、フェルト等の不織布等の変形しづらい素材から形成され、振動供給装置１２０が響板７に押し当てられる量を規定する。すなわち、ガイド１３０の高さを調整することで、楽器１の響板７とトランスデューサー５０の振動部材５１１との接触の加減を調整し、響板７と振動部材５１１との間の最適な接触を実現することが可能となる。なお、本願でいう接触とは、振動部材５１１から響板７への振動を伝達可能に接続させることをいう。後述する実施例についても同様である。
【００３７】
ガイド１３０は、振動供給装置１２０から一定の距離離隔された位置に配置される。図１（Ｂ）には、ガイド１３０が２つ形成される例を示したが、ガイド１３０は１つでも良いし、２つより多く形成されてもよく、振動供給装置１２０の周囲を取り囲むドーナツ形状のように１つ形成されてもよい。
【００３８】
クランプ部材１１０は、振動供給装置１２０が配置される面と対向する面に、ねじ１４０及び第２の板１５０を有する。ねじ１４０は挟み込み部１１５に設けられた孔を貫通し、その一端に平板状の第２の板１５０が接続される。ねじ１４０を締めるとクランプ部材１１０の内側に配置された楽器１がガイド１３０と第２の板１５０の間に固定される。これにより、振動供給装置１２０が過度に楽器１の響板７に押し付けられたり、振動供給装置１２０が楽器１の響板７に押し付けられる量が不足することを防ぐことができるので、振動供給装置１２０を最適な押し付け量で響板７に接触させることができる。
【００３９】
振動供給装置１２０にはアンプ１６０、外部電源によって充電される充電池１７０、ストレージ１８０、信号生成部１８３、及び操作部１８６が接続されてもよい。図１（Ｂ）に示したように、アンプ１６０、充電池１７０、ストレージ１８０、信号生成部１８３、及び操作部１８６はクランプ部材１１０の外部に設け、楽器使用者のポケット等に入れられる大きさに形成してもよい。この例に限られず、アンプ１６０、充電池１７０、ストレージ１８０、信号生成部１８３、及び操作部１８６をクランプ部材１１０と一体的に形成してもよい。
【００４０】
ストレージ１８０は、楽曲データを含む各種データを記憶する。信号生成部１８３は、ストレージ１８０から楽曲データを読み出して、楽曲データに基づいて駆動信号を生成してアンプ１６０へ供給する。操作部１８６は信号生成部１８３において読み出す楽曲データの選択などを制御するスイッチの役割を有する。アンプ１６０は、充電池１７０から電力の提供を受けて駆動し、信号生成部１８３から提供された駆動信号を増幅してトランスデューサー５０へ提供し、振動部５１を振動させる。
【００４１】
このようにして、信号生成部１８３から生成された駆動信号に基づく振動が振動部材５１１を通じて楽器の響板７へと伝達され、響板７を利用した音響の発生が可能となる。
【００４２】
このような構成を有することで、本発明の第１実施形態においては、楽器を加工することなく、一般の楽器の響板を利用して、適切な圧力で楽器へトランスデューサーを取り付けることができる。
【００４３】
＜第２実施形態＞
本発明の第２実施形態の振動供給装置取付ユニットについて、図面を参照しながら詳細に説明する。
【００４４】
図４は、本発明の第２実施形態の振動供給装置取付ユニットが楽器に取り付けられた状態を示す図である。
【００４５】
振動供給装置取付ユニット２００は、楽器１を挟み込むクランプ部材２１０、クランプ部材２１０の内側に配置される振動供給装置２２０、振動供給装置２２０の付近に配置されるガイド２３０を有する。
【００４６】
クランプ部材２１０は、第１の板２１５、第１の板２１５に対向する位置に設けられる第２の板２１７を含むＬ字部材２１６及び第１の板２１５とＬ字部材２１６が交差する部分に備えられるねじ２４０を含み、楽器１を挟み込む形状に形成される。図４においては楽器１の底部２を挟み込む形状に形成される例を示したが、これに限られず、楽器１の側部３を挟み込む形状に形成されてもよい。クランプ部材２１０によって楽器１を挟み込む際の楽器１の向きは、楽器１の種類や、使用者の好みに応じて決定されてよい。
【００４７】
第１の板２１５の内側には振動供給装置２２０が配置される。振動供給装置２２０の構成及び動作は本発明の第１実施形態の振動供給装置１２０と同様であるため省略する。
【００４８】
振動供給装置２２０の付近には、ガイド２３０が配置される。ガイド２３０は、振動供給装置２２０の底面から楽器１への接触面までの高さを規定する案内部材である。ガイド２３０は固いゴム等の変形しづらい素材から形成され、振動供給装置２２０が響板７に押し当てられる量を規定する。すなわち、ガイド１３０の高さを調整することで、楽器１の響板７とトランスデューサー５０の振動部材５１１との接触の加減を調整し、響板７と振動部材５１１との間の最適な接触を実現することが可能となる。
【００４９】
ガイド２３０は、振動供給装置２２０から一定の距離離隔された位置に配置される。図４には、ガイド２３０が１つ形成される例を示したが、ガイド２３０は２つ以上形成されてもよく、振動供給装置２２０の周囲を取り囲むドーナツ形状のように形成されてもよい。
【００５０】
第１の板２１５のＬ字部材２１６と交差する部分には、ねじ２４０が配置される。ねじ２４０は、第１の板２１５に設けられた孔を貫通し、Ｌ字部材２１６に設けられたねじ２４０に係合するめねじに挿入されるように、Ｌ字部材２１６の方向に配置される。第１の板２１５は、ねじの頭とワッシャー若しくはナットとの間に配置してもよく、これにより、ねじの上下方向の位置を固定することができる。第１の板２１５は、響板７に対して水平方向には回動自在に取り付けられてもよい。
【００５１】
ねじ２４０を締めるとクランプ部材２１０の内側に配置された楽器１がガイド２３０とクランプ部材２１０の振動供給装置２２０が配置される面と対向する面との間に固定される。これにより、振動供給装置２２０が過度に楽器１の響板７に押し付けられたり、振動供給装置２２０が楽器１の響板７に押し付けられる量が不足することを防ぐことができるので、振動供給装置２２０を最適な押し付け量で響板７に接触させることができる。
【００５２】
振動供給装置２２０にはアンプ２６０、充電池２７０、ストレージ２８０、信号生成部２８３、及び操作部２８６が接続されてもよい。図４に示したように、アンプ２６０、充電池２７０、ストレージ２８０、信号生成部２８３、及び操作部２８６はクランプ部材２１０の外部に設け、楽器使用者のポケット等に入れられる大きさに形成してもよい。この例に限られず、アンプ２６０、充電池２７０、ストレージ２８０、信号生成部２８３、及び操作部２８６をクランプ部材２１０と一体的に形成してもよい。充電池２７０は外部電源によって充電される充電池であってもよい。
【００５３】
ストレージ２８０は、楽曲データを含む各種データを記憶する。信号生成部２８３は、ストレージ２８０から楽曲データを読み出して、楽曲データに基づいて駆動信号を生成してアンプ２６０へ供給する。操作部２８６は信号生成部２８３において読み出す楽曲データの選択などを制御するスイッチの役割を有する。アンプ２６０は、充電池２７０から電力の提供を受けて駆動し、信号生成部２８３から提供された駆動信号を増幅してトランスデューサー５０へ提供し、振動部５１を振動させる。
【００５４】
このようにして、信号生成部２８３から生成された駆動信号に基づく振動が振動部材５１１を通じて楽器の響板７へと伝達され、響板７を利用した音響の発生が可能となる。
【００５５】
このような構成を有することで、本発明の第２実施形態においては、楽器を加工することなく、一般の楽器の響板を利用して、適切な圧力で楽器へトランスデューサーを取り付けることができる。
【００５６】
＜第３実施形態＞
本発明の第３実施形態の振動供給装置取付ユニットについて、図面を参照しながら詳細に説明する。
【００５７】
図５は、本発明の第３実施形態の振動供給装置取付ユニットが楽器に取り付けられた状態を示す図である。
【００５８】
振動供給装置取付ユニット２００ａは、楽器１を挟み込むクランプ部材２１０ａ、クランプ部材２１０ａの内側に配置される振動供給装置２２０ａ、振動供給装置２２０ａの付近に配置されるガイド２３０ａを有する。
【００５９】
クランプ部材２１０ａは、第１の板２１５ａ、第１の板２１５ａに対向する位置に設けられる第２の板２１７ａを含むＬ字部材２１６ａ、第１の板２１５ａとＬ字部材２１６ａとを接続する第４の板２１８、第４の板２１８に備えられるねじ２４０ａを含む。第４の板２１８及び第１の板２１５ａの内部の一部は空洞になっており、その空洞にＬ字部材２１６ａの一部が入り込み、第４の板２１８及び第１の板２１５ａの一部とＬ字部材２１６ａとが重なりあう。
【００６０】
ねじ２４０ａはＬ字部材２１６ａに接続されており、ねじ２４０ａを図５中の時計回りに回すとＬ字部材２１６ａが図面上方向に動き、ねじ２４０ａを図５中の反時計回りに回すとＬ字部材２１６ａが図面下方向に動くように構成されている。これにより、楽器１の胴の幅に合わせてクランプ部材の幅を調整することができる。
【００６１】
図５においては楽器１の底部２を挟み込む形状に形成される例を示したが、これに限られず、楽器１の側部３を挟み込む形状に形成されてもよい。クランプ部材２１０ａによって楽器１を挟み込む際の楽器１の向きは、楽器１の種類や、使用者の好みに応じて決定されてよい。
【００６２】
クランプ部材２１０ａの内側には振動供給装置２２０ａが配置される。振動供給装置２２０ａの構成及び動作は本発明の第１実施形態の振動供給装置１２０と同様であるため省略する。
【００６３】
振動供給装置２２０ａの付近には、ガイド２３０ａが配置される。ガイド２３０ａは、振動供給装置２２０ａの底面から楽器１への接触面までの高さを規定する案内部材である。ガイド２３０ａは固いゴム等の変形しづらい素材から形成され、振動供給装置２２０ａが響板７に押し当てられる量を規定する。すなわち、ガイド２３０ａの高さを調整することで、楽器１の響板７とトランスデューサー５０の振動部材５１１との接触の加減を調整し、響板７と振動部材５１１との間の最適な接触を実現することが可能となる。
【００６４】
ガイド２３０ａは、振動供給装置２２０ａから一定の距離離隔された位置に配置される。図５には、ガイド２３０ａが１つ形成される例を示したが、ガイド２３０ａは２つ以上形成されてもよく、振動供給装置２２０ａの周囲を取り囲むドーナツ形状のように形成されてもよい。
【００６５】
ねじ２４０ａを締めるとクランプ部材２１０ａの内側に配置された楽器１がガイド２３０ａとクランプ部材２１０ａの振動供給装置２２０ａが配置される面と対向する面との間に固定される。これにより、振動供給装置２２０ａが過度に楽器１の響板７に押し付けられたり、振動供給装置２２０ａが楽器１の響板７に押し付けられる量が不足することを防ぐことができるので、振動供給装置２２０ａを最適な押し付け量で響板７に接触させることができる。
【００６６】
振動供給装置２２０ａにはアンプ２６０ａ、充電池２７０ａ、ストレージ２８０ａ、信号生成部２８３ａ、及び操作部２８６ａが接続されてもよい。図５に示したように、アンプ２６０ａ、充電池２７０ａ、ストレージ２８０ａ、信号生成部２８３ａ、及び操作部２８６ａはクランプ部材２１０ａの外部に設け、楽器使用者のポケット等に入れられる大きさに形成してもよい。この例に限られず、アンプ２６０ａ、充電池２７０ａ、ストレージ２８０ａ、信号生成部２８３ａ、及び操作部２８６ａをクランプ部材２１０ａと一体的に形成してもよい。充電池２７０ａは外部電源によって充電される充電池であってもよい。
【００６７】
ストレージ２８０ａは、楽曲データを含む各種データを記憶する。信号生成部２８３ａは、ストレージ２８０ａから楽曲データを読み出して、楽曲データに基づいて駆動信号を生成してアンプ２６０ａへ供給する。操作部２８６ａは信号生成部２８３ａにおいて読み出す楽曲データの選択などを制御するスイッチの役割を有する。アンプ２６０ａは、充電池２７０ａから電力の提供を受けて駆動し、信号生成部２８３ａから提供された駆動信号を増幅してトランスデューサー５０へ提供し、振動部５１を振動させる。
【００６８】
このようにして、信号生成部２８３ａから生成された駆動信号に基づく振動が振動部材５１１を通じて楽器の響板７へと伝達され、響板７を利用した音響の発生が可能となる。
【００６９】
このような構成を有することで、本発明の第３実施形態においては、楽器を加工することなく、一般の楽器の響板を利用して、適切な圧力で楽器へトランスデューサーを取り付けることができる。
【００７０】
＜第４実施形態＞
本発明の第４実施形態の振動供給装置取付ユニットについて、図面を参照しながら詳細に説明する。
【００７１】
図６（Ａ）及び（Ｂ）は、本発明の第４実施形態の振動供給装置取付ユニットが楽器に取り付けられた状態を示す図である。
【００７２】
振動供給装置取付ユニット３００は、振動供給装置３２０、振動供給装置３２０を取り囲むケース３１０、楽器１のサウンドホール８から挿入される位置決め治具３１５、位置決め治具３１５に配置される位置決め部材３１７、振動供給装置３２０に接続されたアンプ３６０、充電池３７０、ストレージ３８０、信号生成部３８３、及び操作部３８６を有する。振動供給装置３２０の構成及び動作は本発明の第１実施形態の振動供給装置１２０と同様であるため省略する。
【００７３】
楽器１のサウンドホール８から挿入される位置決め治具３１５は、短辺部と長辺部とを含み、長辺部の一端が短辺部に接続された略Ｌ字型に形成され、Ｌ字の短辺部の端部は、楽器１の響板７に引っ掛けることが可能なように、Ｌ字の長辺部の延長方向と平行な方向に延長されてもよい。位置決め治具３１５は、伸縮可能なように構成されてもよい。また、図６（Ｂ）に示したように、位置決め治具３１５に弦３３０に対する角度を調整するための線３３２を記載してもよいその線３３２と楽器１の弦３３０とを表板に垂直な方向３３４において一致させるように楽器１に位置決め治具３１５を配置することで、位置決め治具３１５を配置する際の弦３３０に対する角度を調整できる。図６（Ｂ）では，位置決め治具３１５に弦３３０に対する角度調整用の線３３２を１本記載する例を示したが，これに限られず，位置決め治具３１５には当該線３３２を複数記載してもよく，複数の線３３２は角度が異なるように記載してもよい。
【００７４】
ケース３１０と位置決め部材３１７とのどちらか一方は金属であり，残る他方は磁石であり、位置決め治具３１５は、位置決め部材３１７が響板７を介してケース３１０に吸着されたあとは取り外されるようにしてもよい。位置決め治具３１５と位置決め部材３１７とが接合される力は、位置決め部材３１７と響板７を介したケース３１０とが接合される力よりも小さくなるようにしてもよい。
【００７５】
振動供給装置取付ユニット３００は、振動供給装置３２０を取り囲むケース３１０と、楽器１のサウンドホール８から挿入される位置決め治具３１５によって響板７の内側へ配置される位置決め部材３１７とが楽器１の響板７を挟んで吸着されることによって、振動供給装置３２０を楽器１の響板７に接触させる。これにより、振動供給装置３２０が過度に楽器１の響板７に押し付けられたり、振動供給装置３２０が楽器１の響板７に押し付けられる量が不足することを防ぐことができるので、振動供給装置３２０を最適な押し付け量で響板７に接触させることができる。
【００７６】
振動供給装置３２０にはアンプ３６０、充電池３７０、ストレージ３８０、信号生成部３８３、及び操作部３８６が接続される。図６（Ａ）に示したように、アンプ３６０、充電池３７０、ストレージ３８０、信号生成部３８３、及び操作部３８６は振動供給装置３２０の外部に設け、楽器使用者のポケット等に入れられる大きさに形成してもよい。この例に限られず、アンプ３６０、充電池３７０、ストレージ３８０、信号生成部３８３、及び操作部３８６は、ケース３１０の内部に一体的に形成してもよい。充電池２７０は外部電源によって充電される充電池であってもよい。
【００７７】
ストレージ３８０は、楽曲データを含む各種データを記憶する。信号生成部３８３は、ストレージ３８０から楽曲データを読み出して、楽曲データに基づいて駆動信号を生成してアンプ３６０へ供給する。操作部３８６は信号生成部３８３において読み出す楽曲データの選択などを制御するスイッチの役割を有する。アンプ３６０は、充電池３７０から電力の提供を受けて駆動し、信号生成部３８３から提供された駆動信号を増幅してトランスデューサー５０へ提供し、振動部５１を振動させる。
【００７８】
このようにして、信号生成部３８３から生成された駆動信号に基づく振動が振動部材５１１を通じて楽器の響板７へと伝達され、響板７を利用した音響の発生が可能となる。
【００７９】
このような構成を有することで、本発明の第４実施形態においては、楽器を加工することなく、一般の楽器の響板を利用して、適切な圧力で楽器へトランスデューサーを取り付けることができる。
【００８０】
＜第５実施形態＞
本発明の第５実施形態の振動供給装置取付ユニットについて、図面を参照しながら詳細に説明する。
【００８１】
図７は、本発明の第５実施形態の振動供給装置取付ユニットが楽器に取り付けられた状態を示す図である。
【００８２】
振動供給装置取付ユニット４００は、振動供給装置４２０、振動供給装置４２０を取り囲むケース４１０、楽器１のサウンドホール８から挿入される位置決め治具４１５、位置決め治具４１５に配置される位置決め部材４１７、振動供給装置４２０に接続されたアンプ４６０、充電池４７０、ストレージ４８０、信号生成部４８３、及び操作部４８６を有する。振動供給装置取付ユニット４００は、位置決め治具４１５以外は振動供給装置取付ユニット３００と同様であるため省略する。
【００８３】
楽器１のサウンドホール８から挿入される位置決め治具４１５は、短辺部と長辺部とを含み、長辺部の一端が短辺部に接続された略Ｌ字型に形成され、Ｌ字の長辺部は、その先端が楽器１の底面に当たる長さに形成されてもいい。位置決め治具４１５のＬ字の長辺部は、楽器１の底面に固定されやすくするためにＴ字状に形成されてもよい。
【００８４】
位置決め治具４１５のＬ字の短辺部の端部は、楽器１の響板７に引っ掛けることが可能なように、Ｌ字の長辺部の延長方向と平行な方向に延長されてもよい。位置決め治具３１５は、伸縮可能なように構成されてもよい。また、位置決め治具４１５には第４実施例と同様に弦に対する角度を調整するための線を記載してもよい。
【００８５】
ケース４１０と位置決め部材４１７とのどちらか一方は金属であり，残る他方は磁石であり、位置決め治具４１５は、位置決め部材４１７が響板７を介してケース４１０に吸着されたあとは取り外されてもよく、位置決め治具４１５と位置決め部材４１７とが接合される力は、位置決め部材４１７と響板７を介したケース４１０とが接合される力よりも小さくなるようにしてもよい。
【００８６】
振動供給装置取付ユニット４００は、振動供給装置４２０を取り囲むケース４１０と、楽器１のサウンドホール８から挿入される位置決め治具４１５によって響板７の内側へ配置される位置決め部材４１７とが楽器１の響板７を挟んで吸着されることによって、振動供給装置４２０を楽器１の響板７に接触させる。これにより、振動供給装置４２０が過度に楽器１の響板７に押し付けられたり、振動供給装置４２０が楽器１の響板７に押し付けられる量が不足することを防ぐことができるので、振動供給装置４２０を最適な押し付け量で響板７に接触させることができる。
【００８７】
このような構成を有することで、本発明の第５実施形態においては、楽器を加工することなく、楽器の底面からの位置で振動供給装置の位置決めをすることが可能になり、一般の楽器の響板を利用したトランスデューサーの着脱を容易にすることができる。
【００８８】
＜第４実施形態及び第５実施形態の変形例＞
第４実施形態及び第５実施形態では、振動供給装置を取り囲む金属ケースと、楽器１のサウンドホール８から挿入される位置決め治具によって響板７の内側へ配置される磁石とが楽器１の響板７を挟んで吸着されることによって、振動供給装置を楽器１の響板７に接触させる振動供給装置取付ユニットの例を説明したが、他の変形例では、金属ケースの内部に磁石を設け、位置決め治具には鉄シートを設けることで、振動供給装置を取り囲む金属ケースと楽器１のサウンドホール８から挿入される位置決め治具によって響板７の内側へ配置される鉄シートとが楽器１の響板７を挟んで吸着されるようにしてもよい。
【００８９】
＜充電池の変形例＞
本発明の他の実施形態において、アンプは、外部電源によって充電される内部の充電池の他に、乾電池等によって電力の提供を受けて駆動させてもよい。また、振動供給装置において、充電池や乾電池を着脱可能なように配置する機構をさらに設けてもよい。
【００９０】
＜楽器１の変形例＞
上述した実施形態では、楽器がアコースティックギターである場合を示したが、本発明はこれに限られず、ベース、バイオリン、ウクレレ、マンドリン、ピアノ等弦の振動が伝達される響板を有する弦楽器であれば適用することが可能である。なお、本発明は、弦楽器に限らず、カホン等響板を有する打楽器にも適用することが可能である。
【符号の説明】
【００９１】
１…楽器
２…底部
３…側部
７…響板
８…サウンドホール
５０、５０ｂ…トランスデューサー
５１…振動部
５２…ヨーク保持部
１００、２００、２００ａ、３００、４００…振動供給装置取付ユニット
１１０、２１０、２１０ａ…クランプ部材
１１５…挟み込み部
１１７…第３の板
１２０、２２０、２２０ａ、３２０、４２０…振動供給装置
１３０、２３０、２３０ａ…ガイド
１４０、２４０、２４０ａ…ねじ
１５０…第２の板１６０、２６０、２６０ａ、３６０、４６０…アンプ
１７０、２７０、２７０ａ、３７０、４７０…充電池
１８０、２８０、２８０ａ、３８０、４８０…ストレージ
１８３、２８３、２８３ａ、３８３、４８３…信号生成部
１８６、２８６、２８６ａ、３８６、４８６…操作部
１１６、２１５、２１５ａ、３１５…第１の板
２１６、２１６ａ…Ｌ字部材
２１７、２１７ａ…第２の板
２１８…第４の板
３１０、４１０…ケース
３１５、４１５…位置決め治具
３１７、４１７…位置決め部材
３３０…弦
３３２…線
３３４…垂直な方向
５１１…振動部材
５１２…ボイスコイル
５２２…磁石
５２１、５２３…ヨーク
５２４…筐体
【図１】
2017092520.tif 000003
【図２】
2017092520.tif 000004
【図３】
2017092520.tif 000005
【図４】
2017092520.tif 000006
【図５】
2017092520.tif 000007
【図６】
2017092520.tif 000008
【図７】
2017092520.tif 000009